(57)【要約】【課題】汎用的であるにもかかわらず低コストで本またはブローシュアに栞紐を取り付ける。【解決手段】枚葉紙８．１〜８．６の丁合によって構成され、背のところで糸綴じおよび／または無線綴じされた中身３と、該中身３の内部に取り付けられた栞紐２と、を有する本６またはブローシュア１への栞紐２の取付けは、丁合いのときに少なくとも１枚の枚葉紙８．３を有する中身の一部分１０；１０．１〜１０．３がまず形成され、栞紐２がこの中身の一部分の１番上の枚葉紙８．３に載せられ、その後の丁合いのときに少なくとも１つの別の枚葉紙８．４が、栞紐２の載っている中身の一部分の上に置かれ、引き続き、栞紐２を備える丁合いされた中身１２が綴じられ、綴じられていない三辺を断裁することで行われる。このとき栞紐２は、それまでに丁合いされた上記中身の一部分の１番上の枚葉紙８．３上に載せられ、それにより、中身３または折り丁を開くことが不要となる。【選択図】  図１２
2010069878.tif 000002
【特許請求の範囲】
【請求項１】
折り丁および／またはペラのような複数の枚葉紙（８．１〜８．６）の丁合いによって構成され、背で糸綴じおよび／または無線綴じされた中身（３）と、該中身（３）の内部に取り付けられた栞紐（２）と、を有する本（６）またはブローシュア（１）に、前記栞紐（２）を取り付ける方法であって、
はじめに丁合いのときに、少なくとも１枚の枚葉紙（８．３）を有する中身の一部分（１０；１０．１〜１０．３）を形成し、
前記栞紐（２）を前記中身の一部分（１０；１０．１〜１０．３）の１番上の枚葉紙（８．３）の上に載せ、
その後の丁合のときに、少なくとも１枚の別の枚葉紙（８．４）を、前記栞紐（２）の載っている前記中身の一部分（１０；１０．１〜１０．３）の上に置き、
引き続き、前記栞紐（２）を備えた、丁合いされた中身（１２）を綴じ、綴じられていない三方の辺を断裁することを特徴とする、本またはブローシュアに栞紐を取り付ける方法。
【請求項２】
前記栞紐（２）は、前記枚葉紙（８．３）に載せられるときに、少なくとも１つの位置（１１．１〜１１．３）で前記枚葉紙（８．３）に取り付けられる、請求項１に記載の方法。
【請求項３】
前記栞紐（２）は、静電気によって前記枚葉紙（８．３）に固定される、請求項２に記載の方法。
【請求項４】
前記栞紐（２）は、特に揮発性の感圧性接着剤によって前記枚葉紙（８．３）に取り付けられる、請求項２または３に記載の方法。
【請求項５】
前記栞紐（２）は、第１の端部（２ａ）において、前記枚葉紙（８．３）の天の縁（９ａ）の近傍で該枚葉紙に恒久的に貼り付けられる、請求項２から４のいずれか１項に記載の方法。
【請求項６】
前記栞紐（２）は、第１の端部（２ａ）が前記枚葉紙（８．３）の背の縁（９ｂ）で実質的に終わるように、前記枚葉紙（８．３）の上に載せられる、請求項１から５のいずれか１項に記載の方法。
【請求項７】
中身の背（５ａ）に接着剤を塗布することによる、前記中身（１５）の製本のときに、前記第１の端部（２ａ）は該中身の背に恒久的に取り付けられる、請求項６に記載の方法。
【請求項８】
前記栞紐（２）は前記枚葉紙（８．３）の上でループ状に載せられる、請求項１から７のいずれか１項に記載の方法。
【請求項９】
前記栞紐（２）は、前記枚葉紙（８．３）の天の縁（９ａ）に沿って延びる第１の辺（２ｃ）と、中身の高さ方向を向いた第２の辺（２ｄ）と、を有するように、実質的にＬ字型で前記枚葉紙（８．３）に載せられる、請求項８に記載の方法。
【請求項１０】
載せられる前記栞紐（２）の長さは、断裁された前記中身（３）のページの対角線よりも長い、請求項１から９のいずれか１項に記載の方法。
【請求項１１】
前記栞紐（２）を載せる前の、前記中身の一部分（１０；１０．１〜１０．３）の前記枚葉紙（８．１〜８．３）の枚数は、前記中身（１２）を完成させるためにその後さらに積み置かれる枚葉紙（８．４〜８．６）の枚数にほぼ等しい、請求項１から１０のいずれか１項に記載の方法。
【請求項１２】
１つの栞紐を載せる毎に少なくとも１枚の枚葉紙を積み置くことよって、各々の前記栞紐が別々の枚葉紙の上に載るように、複数の栞紐（２）を載せる、請求項１から１１のいずれか１項に記載の方法。
【請求項１３】
前記栞紐（２）は備蓄ロール（３３）から引き出されて切り離される、請求項１から１２のいずれか１項に記載の方法。
【請求項１４】
前記栞紐（２）は規定された長さおよび規定された空間形状で準備され、前記栞紐（２）は、適切な搬送手段（３６）によって、１番上の前記枚葉紙（８．３）の上へ放出するために準備個所もしくは収容個所（３９）から放出個所（４０）へと移される、請求項１から１３のいずれか１項に記載の方法。
【請求項１５】
前記栞紐（２）は、前記中身の一部分（１０．２）が搬送通路（２２）に送られている間に、１番上の前記枚葉紙（８．３）の上に載せられる、請求項１から１４のいずれか１項に記載の方法。
【請求項１６】
前記栞紐（２）は、回転運動によって前記搬送手段（３６）から前記枚葉紙（８．３）の上に載せられる、請求項１４および１５に記載の方法。
【請求項１７】
１番上の前記枚葉紙（８．３）は、前記栞紐（２）を載せるときに、中間部分（２５）で案内される、請求項１５または１６に記載の方法。
【請求項１８】
前記中身（３）の製本のとき、ブローシュア（１）を製作するため、背および／または背に近い側面に表紙（４）を貼り付ける、請求項１から１７のいずれか１項に記載の方法。
【請求項１９】
綴じられて三方を断裁された前記中身（３）を表紙（７）でくるむ、請求項１から１８のいずれか１項に記載の方法。
【請求項２０】
枚葉紙（８．１〜８．６）を収納庫から１枚ずつにさばく給紙ステーション（２４．３；２４．４）と、中身（１２）を構成するために１枚ずつにさばかれた枚葉紙（８．１〜８．６）を供給する連行体（２３）を備える搬送通路（２２）と、が１列に配されて成る丁合機（２１）で、請求項１から１９のいずれか１項に記載の方法を実施するための装置（３１）であって、
巻きつけられた栞紐（２）の備蓄ロール（３３）を収容した引出し装置（３２）と、
前記栞紐（２）を規定の長さで切り取るための切断装置（３４）と、
前記栞紐（２）の少なくとも第１の端部（２ａ）と第２の端部（２ｂ）とを、第１および第２の保持手段（３７，３８）によって把持し、収容個所（３９）と放出個所（４０）との間で移動可能な搬送手段（３６）と、を有しており、
前記栞紐（２）は、前記搬送通路（２２）で送られてそれまでに形成された中身の一部分（１０．２）の１番上の枚葉紙（８．３）の上に、前記放出個所（４０）で載せられることを特徴とする装置。
【請求項２１】
前記栞紐（２）を取り付ける前記装置（３１）は、前記丁合機（２１）の切換ステーションとして構成されている、請求項２０に記載の装置。
【請求項２２】
それぞれの前記栞紐（２）に少なくとも１つの接着点（１１．１〜１１．３）を塗布する糊付け装置（３５）を有している、請求項２０または２１に記載の装置。
【請求項２３】
前記放出個所（４０）での前記搬送手段（３６）の搬送運動は前記中身の一部分（１０．２）の搬送運動と実質的に同期しており、前記栞紐（２）は前記保持手段（３７，３８）から解放される、請求項２０から２２のいずれか１項に記載の装置。
【請求項２４】
前記搬送手段（３６）は回転駆動される、請求項２０から２３のいずれか１項に記載の装置。
【請求項２５】
前記保持手段（３７）は、吸引空気および吹付空気を作用させることができる吸引部を含んでいる、請求項２０から２４のいずれか１項に記載の装置。
【請求項２６】
前記保持手段（３８）は、開閉可能なくわえ部またはクランプ部を含んでいる、請求項２０から２５のいずれか１項に記載の装置。
【発明の詳細な説明】
【技術分野】
【０００１】
本発明は、折り丁および／またはペラのような複数の枚葉紙の丁合いによって構成され、背で糸綴じおよび／または無線綴じされた中身と、その中身の内部に取り付けられた栞紐と、を有する本またはブローシュアに、栞紐を取り付ける方法および装置に関する。
【背景技術】
【０００２】
本またはブローシュアに栞として固定的に取り付けられる栞紐は、テキスト内の個所を簡単かつ迅速に見つけることを可能にする。
【０００３】
ハードカバー本では、従来、栞紐は、本の中身が三方断裁された後に中身へ挿入され、栞紐の一方の端部が中身の背に取り付けられるのに対し、栞紐の、取り付けられていない端部が挿入個所からずらして中身へ通される。このような方法は、たとえば特許文献１で開示されており、三方断裁機と製本ラインとの間のコンベヤ区間に配置された、独立した栞挿入機によって行われる。引き続いて、製本ラインで、端に設けられたヘッドバン（花布）を含めて、背紙が中身の背に背貼りされ、最後に表紙にくるまれる。それにより、栞紐は、完成された本においては、背の天側のヘッドバンの下から外に出ることになる。ブローシュアの場合、上に述べた方法を適用することはできない。これは、中身が、無線綴じ機によって既に、すなわち三方断裁の前に、表紙にくるまれているからである。
【０００４】
特許文献２には、最初に使うまでは栞紐が背の中空スペース内にあり、そこから利用者によって引き出すことが可能な栞紐を備える本が記載されている。栞紐の取付けは中身の背に貼ることで行われ、これは、製本ラインにおいて中身の背貼りとともに行うことができる。これに代えて、栞紐を、三方断裁の前に、たとえば無線綴じ機で取り付けることができる。それにより、少なくとも、中身の側面に貼り付けられた表紙と、背紙のある中身の背との間に中空スペースを有するレイフラット式のブローシュアは、背に取り付けられた栞紐を備えることができる。中空の背をもたない従来型のブローシュアにおいて、このような栞紐の取付けが可能なのは、栞紐がクータに収容されており、次いでクータがブローシュアの背に埋め込まれる場合に限られていた。
【０００５】
特許文献３では、本の中身の内に取り付けられた栞紐を備える本またはブローシュアが開示されており、栞紐の取付端部は、中身を構成する折り丁の折り目に開けられた穴へ挿入されて、当該折り丁に取り付けられている。最初に使うまでは、この栞紐は中身の内の特定のページに位置しており、使用時に、中身の天のところから外に出される。この栞紐は、丁合いの前に、該当する折り丁に入れられてなければならないため、まず折り丁が開かれ、天の縁に近い場所で折り目に穴が開けられ、栞紐の一方の端部がその穴に通されてから、当該一方の端部で折り丁に取り付けられる。
【０００６】
特許文献３で提案されているように、このような比較的高いコストがかかる製造ステップを、折り機に組み込むことは複雑であり、その製造能力が制限されてしまう。さらに、さまざまな製造方法に対して栞紐挿入のできるような汎用性という観点からすると、製造方法やページ数に応じて用いられる折り装置の多様性、たとえば、枚葉紙処理におけるナイフ折り機、バックル折り機、コンビネーション型折り機や、ウェブ印刷機におけるフォーマ折り装置、くわえ折り装置などを考慮しなくてはならない。その一方で、別個の機械による栞紐の挿入は、運び込みおよび運び出しのために追加の作業員を必要とし、折り丁が中間保管されるために製造スペースを要し、作業のプロセス時間を増大させてしまう。さらに、この方法における欠点は、栞紐を個々のページに取り付けることができないことである。
【先行技術文献】
【特許文献】
【０００７】
【特許文献１】ドイツ特許出願公開２０５３６４８Ａ
【特許文献２】ドイツ特許出願公開１００４５９００Ａ１
【特許文献３】ドイツ特許出願公開１０２００６００３３４６Ａ１
【発明の概要】
【発明が解決しようとする課題】
【０００８】
本発明の目的は、本やブローシュアのさまざまな製造方法に対して汎用的に適用できるにもかかわらず低コストで実施可能な、本またはブローシュアに栞紐を取り付ける方法を提供することにある。また、別の目的は、この方法を実施するための、簡易な構造の装置を提供することにある。
【課題を解決するための手段】
【０００９】
これらの目的は、請求項１に記載の方法あるいは請求項２０に記載の装置によって達成される。
【００１０】
本発明は、本の中身を丁合いするときに、栞紐の取付けを行うことを提案する。このとき、栞紐は、折込みなどと同様に、それまでに丁合いされている中身の一部分の、１番上の枚葉紙の上に載せられる。さらに別の枚葉紙が追加されることで、中身内に保護された状態で置かれた栞紐を備える、重ねられただけの丁合いされた中身が出来上がる。次いで、栞紐を備えるこの中身が、任意の製本装置へ供給され、最後に三方断裁機に供給される。
【００１１】
この場合、栞紐を載せる工程を、特に簡単に行うことができる。丁合いしている間は、該当する枚葉紙に、上から自由にアクセス可能だからである。すなわち、従来のように、折り丁や中身を開かなくてよい。栞紐を載せる工程が丁合機へ統合されることによって、従来必要であった別個の作業工程も不要となる。作業員および製造スペースが削減され、作業のプロセス時間を短縮することができる。しかも、多種多様な構造の本およびブローシュアに、栞紐を取り付けることができるようになる。それは、どのような製造方法や製造態様であっても、中身は、必ず丁合機によって複数の枚葉紙（折り丁）から丁合いされるからである。本発明による栞紐の取付けでは、枚葉紙の質さえも任意である。栞紐が載せられる枚葉紙はペラであってよく、あるいは、ウェブ印刷機の折装置や種々の枚葉紙折り機で折り畳まれた、任意の折り方の枚葉紙であってよい。
【００１２】
栞紐を載せる工程は、丁合機の切換ステーションによって行うことができ、それにより、中身の内部で、栞紐の位置を任意に定めることができる。さらに、これに関して、モジュール形式で構成された丁合機に、後からこの機能を装備することができ、それにより、既存の生産ラインへ本方法を組み込むこともできる。
【００１３】
本発明による方法および装置の好ましい発展例は、従属請求項の対象となっている。
【図面の簡単な説明】
【００１４】
【図１】栞紐を備えるブローシュアを示す図である。
【図２】栞紐で目印をつけた個所で開いたブローシュアを示す図である。
【図３】栞紐が中身に取り付けられた個所で開いたブローシュアを示す図である。
【図４】栞紐を備える本を一角度から示した図である。
【図５】栞紐を備える本を一角度から示した図である。
【図６】丁合いされて中身の一部分となった枚葉紙パイルを示す図である。
【図７】１番上の枚葉紙の上に栞紐が載っている、中身の一部分を示す図である。
【図８】内部に栞紐を有する、完全に丁合いされた枚葉紙パイルからなる、重ねられただけの中身を示す図である。
【図９】背のところで処理された中身を示す図である。
【図１０】貼り付けられた表紙を有し、背のところで綴じられた中身を示す図である。
【図１１】三方で断裁されたブローシュアを示す図である。
【図１２】栞紐載せ装置を備える丁合機を示す部分図である。
【発明を実施するための形態】
【００１５】
次に、本発明の実施の形態について図面を参照して説明する。
【００１６】
図１から図３に示されたブローシュア１は、本の中身３の内に第１の端部２ａで取り付けられた栞紐２を備えている。ブローシュア１は、無線綴じされた中身３のまわりに、背５ａおよび背に近い側面で貼り付けられた表紙４を有している。３つの断裁面は、小口５ｂ、天５ｃおよび地５ｄと呼ばれる。
【００１７】
栞紐２は、図１のようにブローシュア１を閉じたときに、取り付けられていない第２の端部（自由端部）２ｂが該当個所で地５ｄから外に出ることによって、テキスト内の個所に目印をつける役目をする。第２の端部２ｂは、ページを開くために掴むことができる。図２から明らかなように、栞紐２は、該当ページで天５ｃから地５ｄまで延びている。
【００１８】
栞紐２の第１の端部２ａは、取付端部として中身３の任意のページ、ただし好ましくは出来るだけ中ほどのページに、取り付けられている。図３では、栞紐２が中身３に取り付けられたページでブローシュア１が広げられている。ここで、第１の端部２ａは、背もしくは該当ページの背に近いところに恒久的に貼られており、そこから天５ｃへ延び、そこで中身３から外に出て、上述したように該当ページに目印をつけるため、別のページで再び中身３に入っている。
【００１９】
図４および図５は、表紙７にくるまれた中身３を有する（ハードカバー）本６を示しており、本６は、本発明によって取り付けられた栞紐２を備えている。中身３は、糸綴じおよび／または無線綴じされていてよい。栞紐が中身の背に取り付けられ、中身の背の背紙の下から外に出るという、従来型の、（ハードカバー）本６への栞紐の取付とは異なり、ここでは栞紐２はブローシュア１の場合と同様に天５ｃから外に出ている。しかし、機能に関して変わりはない。
【００２０】
図６から図１１、ならびに図１２は、ブローシュア１を例にとって、栞紐２を取り付けるためのさまざまな処理ステップを示している。枚葉紙（折り丁）８．１〜８．３は、丁合機２１において公知の方法で、まず、丁合機２１の搬送通路２２で連行体２３によって送られる中身の一部分１０もしくは１０．１〜１０．３をなすように丁合いされる。
【００２１】
栞紐載せ装置３１は、搬送通路２２での送り中に、栞紐２を、枚葉紙８．３の天の縁９．ａに沿って延びる第１の辺２ｃと中身の高さの方向に向いた第２の辺２ｄとを有するＬ字型の形状で、給紙ステーション２４．３により、その直前に積み置かれた中身の一部分１０もしくは１０．２の１番上の枚葉紙８．３に載せる。
【００２２】
このとき栞紐２は、好ましくは揮発性の感圧性接着剤（粘着剤）からなる接着点である、図７に示す３つの接着個所１１．１〜１１．３で枚葉紙８．３に固定されている。それにより栞紐２は、少なくとも後続の製本機械の搬送クリップに中身が挟み込まれるまでは、ずれたり滑ったりしないように固定される。これに代えて、栞紐２が静電気によって枚葉紙８．３に固定されてもよい。第１の端部２ａは、１番上の枚葉紙８．３の、ほぼ背の縁９ｂのところで終っており、接着点１１．３での感圧性接着剤に代えて、枚葉紙８．３に恒久的に取り付けられていてよい。
【００２３】
次いで、別の枚葉紙（折り丁）８．４〜８．６が供給される。図１２では、次の枚葉紙（折り丁）８．４を供給するための給紙ステーション２４．４が図示されている。中身の一部分１０もしくは１０．１〜１０．３は重ねられただけの中身１２となり、それにより、少なくとも一時的に固定された栞紐２は、重ねられただけの中身１２の内部にある。この後に、無線綴じが行われる。図９は、背のところで処理された中身１３を示しており、ここでは背処理１４によって、枚葉紙（折り丁）８．１〜８．６が喉空きで切り落とされ、個々の枚葉紙が次の接着剤塗布に備えて準備される。栞紐２の第１の端部２ａは、その縁が中身１３の背に位置する。
【００２４】
背および場合により背に近い側面への接着剤の塗布によって、綴じられた中身１５が出来上がる。このとき、第１の端部２ａも少なくともそのエッジのところで中身の背に恒久的に接着され、それにより、接着点１１．３における追加の恒久的な接着を省略することができる。中身１５は、無線綴じ機によって、図１０に示すように（ソフトカバー）表紙４を周りに取り付けることで、未断裁のブローシュア１６をなすようにさらに処理される。次いで、未断裁のブローシュア１６は、乾燥／冷却コンベヤ区間へ送られ、最後に、綴じられていない３つの辺５ｂ〜５ｄで断裁されて、完成されたブローシュア１になる（図１１参照）。
【００２５】
これに代えて、重ねられただけの丁合いされた中身１２を、内部にある少なくとも一時的に取り付けられた栞紐２とともに、糸綴じまたはその他の製本方法で処理することもできる。さらに、綴じられた中身１５を（ハードカバー）本６のために使用することが可能であり、それによると、（ハードカバー）本において高いコストのかかる、三方断裁後の栞紐の取付けが不要となる。
【００２６】
栞紐の挿入は、予め巻きつけられ、最終製品すなわちブローシュアや本において邪魔に感じられる、たとえば紙テープなどの支持部材を利用することなく行われる。
【００２７】
１番上の枚葉紙８．３に載せるときに栞紐２をＬ字型の形状にすることで、ページの対角線よりも栞紐を長くすることができ、それにより、ブローシュア１が閉じたときに、地／天から外へ栞紐２を引き出すことができる。本発明によると、栞紐をこれ以外の形状で枚葉紙８．３の上に置くことも可能である。
【００２８】
栞紐２を取り付ける前の枚葉紙８．１〜８．３の枚数は、できるだけ、中身１２を完成させるためにその後に載せられる枚葉紙８．４〜８．６の枚数と等しくなるように選択される。それによって、栞紐２は、中身３のほぼ中央に位置し、中身３の前のページへも後ろのページへも同じように位置を移すことができる。そのために、切換ステーションとして構成された栞紐載せ装置３１を、丁合機２１に沿って相応に位置決めすることができる。
【００２９】
２つまたはそれ以上の栞紐載せ装置３１を丁合機２１に配置することで、複数個所に栞紐２を取り付けることができ、それにより、たとえば参考図書やカタログなどの読みやすさをいっそう向上させる。この場合、前の栞紐の上に次の枚葉紙として積み置かれた枚葉紙の上に、次の栞紐をそのつど載せていくことができる。それにより、栞紐の最大数は、丁合いされる枚葉紙８．１〜８．６の枚数から１を引いた数に等しい。
【００３０】
図１２に示された栞紐載せ装置３１は、栞紐ロール３３に巻きつけられた栞紐２を引き出す引出し装置３２を有している。さらに、栞紐載せ装置３１は、栞紐２を所定の長さで切り取る切断装置３４を有している。糊付けノズル３５によって、栞紐２に、相応の接着個所１１．１〜１１．３で接着点が与えられる。
【００３１】
栞紐２は、搬送通路２２の上方にある収容個所３９で、回転する搬送手段３６によって引き取られる。そのために、まず第２の端部２ｂが、吸引部で構成される保持手段３７によって連行され、第１の端部２ａもしくは第１の辺２ｃが、クランプ部で構成される保持手段３８によって把持される。このとき前述の第１の辺２ｃは、詳しくは図示しない手段によって、当初のまっすぐな形状から、９０°に折り曲げられた形状に変えられる。
【００３２】
搬送手段３６の回転運動によって、栞紐２は放出個所４０へと達する。栞紐２は、搬送手段３６の回転運動のもとで保持手段３７，３８から相応に解放されることによって、連行体２３により前進運動をしている中身の一部分１０．２の上に置かれ、少なくとも接着個所１１．１〜１１．３の領域で圧着されて、１番上の枚葉紙（折り丁）８．３に取り付けられる。栞紐を正確な位置で、かつ丁寧に載せるために、図１２からわかるように、中間部分２５で枚葉紙（折り丁）８．３を搬送するのが好ましい。
【符号の説明】
【００３３】
１    ブローシュア
２    栞紐
２ａ  第１の端部
２ｂ  第２の端部
２ｃ  第１の辺
２ｄ  第２の辺
３    本の中身
４    表紙
５ａ  背
５ｂ  小口
５ｃ  天
５ｄ  地
６    本
７    表紙
８．１〜８．６  枚葉紙（折り丁）
９ａ  天のエッジ
９ｂ  背のエッジ
１０  中身の一部分
１０（１０．１〜１０．３）  中身の一部分
１１．１〜１１．３  接着個所
１２  重ねられただけの中身
１３  処理された中身
１４  背処理
１５  綴じられた中身
１６  未断裁のブローシュア
２１  丁合機
２２  搬送通路
２３  連行体
２４．３  給紙ステーション
２４．４  給紙ステーション
２５  中間部分
３１  栞紐載せ装置
３２  引出し装置
３３  栞紐ロール
３４  切断装置
３５  糊付けノズル
３６  搬送手段
３７  吸引部を備える保持手段
３８  クランプ部を備える保持手段
３９  収容個所
４０  放出個所
【図１】
2010069878.tif 000003
【図２】
2010069878.tif 000004
【図３】
2010069878.tif 000005
【図４】
2010069878.tif 000006
【図５】
2010069878.tif 000007
【図６】
2010069878.tif 000008
【図７】
2010069878.tif 000009
【図８】
2010069878.tif 000010
【図９】
2010069878.tif 000011
【図１０】
2010069878.tif 000012
【図１１】
2010069878.tif 000013
【図１２】
2010069878.tif 000014